(57)【要約】      （修正有）【課題】簡単な構成で、室内の結露の発生を精度よく検出するとともに、使用者が結露を認知することができる除湿装置を提供する。【解決手段】室内の一部の所定位置に第一吸入口２０が配置されて第一吸入口２０より第一空気ＲＡ１を吸入する第一吸入路２と、室内に供給空気を供給する供給路４と、運転の開始および停止の操作を行うコントローラ１０とを備えるとともに、結露検出装置を備えた除湿装置１である。前記結露検出装置は、第一空気ＲＡ１の第一絶対湿度を測定する第一絶対湿度測定部２１と、供給路４を通流する供給空気ＳＡの供給絶対湿度を測定する供給絶対湿度測定部４１と、第一絶対湿度と供給絶対湿度とに基いて、所定位置に結露が発生していると判定する結露判定部と、を備える。結露判定がなされた時に、結露の発生を報知する報知部１３を備える。【選択図】図１
2015194284.tif 000002
【特許請求の範囲】
【請求項１】
室内の一部の所定位置に第一吸入口が配置されて前記第一吸入口より戻り空気として第一空気を吸入する第一吸入路と、室内に供給空気を供給する供給路と、運転の開始および停止の操作を行うコントローラとを備えるとともに、結露検出装置を備えた除湿装置であって、
前記結露検出装置は、
前記第一空気の絶対湿度を測定する第一絶対湿度測定部と、
前記供給路を通流する供給空気の絶対湿度を測定する供給絶対湿度測定部と、
前記第一絶対湿度測定部により測定された第一絶対湿度と、前記供給絶対湿度測定部により測定された供給絶対湿度とに基いて、前記所定位置に結露が発生していると判定する結露判定部と、を備えており、
前記結露判定部により結露が発生していると判定された時に、結露の発生を報知する報知部を前記コントローラに備えることを特徴とする除湿装置。
【請求項２】
室内の一部の所定位置に第一吸入口が配置されて前記第一吸入口より戻り空気として第一空気を吸入する第一吸入路と、室内の前記所定位置以外に第二吸入口が配置されて前記第二吸入口より戻り空気として第二空気を吸入する第二吸入路と、運転の開始および停止の操作を行うコントローラとを備えるとともに、結露検出装置を備えた除湿装置であって、
前記結露検出装置は、
前記第一空気の絶対湿度を測定する第一絶対湿度測定部と、
前記第二空気の絶対湿度を測定する第二絶対湿度測定部と、
前記第一絶対湿度測定部により測定された第一絶対湿度と、前記第二絶対湿度測定部により測定された第二絶対湿度とに基いて、前記所定位置に結露が発生していると判定する結露判定部と、を備えており、
前記結露判定部により結露が発生していると判定された時に、結露の発生を報知する報知部を前記コントローラに備えることを特徴とする除湿装置。
【請求項３】
通常の除湿運転を行う通常モードと、結露解消のために前記通常の除湿運転よりも強い除湿運転を行う結露解消モードと、を有し、
前記コントローラは、前記結露解消モードの開始および停止の操作を行う結露解消モード操作部を備えることを特徴とする請求項１または２記載の除湿装置。
【請求項４】
デシカントシステムを備えることを特徴とする請求項１〜３のいずれか一項に記載の除湿装置。
【発明の詳細な説明】
【技術分野】
【０００１】
本発明は、室内の結露を検出する結露検出装置を備えた除湿装置に関するものである。
【背景技術】
【０００２】
室内に結露が発生すると、家具や家屋の損傷の惧れがあり、また、不快感や不衛生を伴う惧れもある。そこで、結露を抑える空調機器が開発されている（例えば特許文献１参照）。
【０００３】
特許文献１等に示される空調機器においては、空調機器の内部の結露を検出するものである。
【先行技術文献】
【特許文献】
【０００４】
【特許文献１】特開平８−１０５６４２号公報
【発明の概要】
【発明が解決しようとする課題】
【０００５】
しかしながら、上記従来例においては、空調機器の内部の結露を検出することはできるが、室内の結露を検出するものではないため、使用者は目視以外に結露を認知することが困難なものであった。
【０００６】
本発明は上記従来の問題点に鑑みて発明したものであって、簡単な構成で、室内の結露の発生を精度よく検出するとともに、使用者が結露を認知することができる除湿装置を提供することにある。
【課題を解決するための手段】
【０００７】
上記課題を解決するために、請求項１に係る発明は、
室内の一部の所定位置に第一吸入口が配置されて前記第一吸入口より戻り空気として第一空気を吸入する第一吸入路と、室内に供給空気を供給する供給路と、運転の開始および停止の操作を行うコントローラとを備えるとともに、結露検出装置を備えた除湿装置であって、
前記結露検出装置は、
前記第一空気の絶対湿度を測定する第一絶対湿度測定部と、
前記供給路を通流する供給空気の絶対湿度を測定する供給絶対湿度測定部と、
前記第一絶対湿度測定部により測定された第一絶対湿度と、前記供給絶対湿度測定部により測定された供給絶対湿度とに基いて、前記所定位置に結露が発生していると判定する結露判定部と、を備えており、
前記結露判定部により結露が発生していると判定された時に、結露の発生を報知する報知部を前記コントローラに備えることを特徴とする。
【０００８】
また、請求項２に係る発明は、
室内の一部の所定位置に第一吸入口が配置されて前記第一吸入口より戻り空気として第一空気を吸入する第一吸入路と、室内の前記所定位置以外に第二吸入口が配置されて前記第二吸入口より戻り空気として第二空気を吸入する第二吸入路と、運転の開始および停止の操作を行うコントローラとを備えるとともに、結露検出装置を備えた除湿装置であって、
前記結露検出装置は、
前記第一空気の絶対湿度を測定する第一絶対湿度測定部と、
前記第二空気の絶対湿度を測定する第二絶対湿度測定部と、
前記第一絶対湿度測定部により測定された第一絶対湿度と、前記第二絶対湿度測定部により測定された第二絶対湿度とに基いて、前記所定位置に結露が発生していると判定する結露判定部と、を備えており、
前記結露判定部により結露が発生していると判定された時に、結露の発生を報知する報知部を前記コントローラに備えることを特徴とする。
【０００９】
また、請求項３に係る発明は、請求項１または２に係る発明において、
通常の除湿運転を行う通常モードと、結露解消のために前記通常の除湿運転よりも強い除湿運転を行う結露解消モードと、を有し、
前記コントローラは、前記結露解消モードの開始および停止の操作を行う結露解消モード操作部を備えることを特徴とする。
【００１０】
また、請求項４に係る発明は、請求項１〜３に係る発明において、デシカントシステムを備えることを特徴とする。
【発明の効果】
【００１１】
本発明の請求項１に係る発明にあっては、結露後に結露部周辺の空気の絶対湿度が低下することを利用したもので、第一絶対湿度測定部と供給絶対湿度測定部と、これらで測定される絶対湿度に基いて結露判定を行う結露判定部を設けるだけの簡単な構成で、室内の結露の発生を精度よく検出することが可能となり、更に、コントローラにより結露の発生が報知されて、使用者が結露を認知することができる。
【００１２】
また、請求項２に係る発明にあっては、結露後に絶対湿度が低下することを利用したもので、第一絶対湿度測定部と第二絶対湿度測定部と、これらで測定される絶対湿度に基いて結露判定を行う結露判定部を設けるだけの簡単な構成で、室内の結露の発生を精度よく検出することが可能となり、更に、コントローラにより結露の発生が報知されて、使用者が結露を認知することができる。
【００１３】
また、請求項３に係る発明にあっては、結露を認知した時に、結露解消モードを開始して、結露の解消を行うことができる。
【００１４】
また、請求項４に係る発明にあっては、強力な除湿が可能となる。
【図面の簡単な説明】
【００１５】
【図１】第一実施形態の除湿装置の概略構成図である。
【図２】第一実施形態の基本的な結露判定のフロー図である。
【図３】第一実施形態における別の例の結露判定のフロー図である。
【図４】第二実施形態の除湿装置の概略構成図である。
【図５】第三実施形態の除湿装置の概略構成図である。
【図６】第三実施形態の基本的な結露判定のフロー図である。
【発明を実施するための形態】
【００１６】
以下、本発明の結露検出装置を備えた除湿装置１について、図１に示す第一実施形態に基いて説明する。結露検出装置は、室内の結露を検出するものである。
【００１７】
除湿装置１は、換気機能、または、循環機能、または、換気機能および循環機能を有し、室内に除湿処理を施した供給空気ＳＡを供給する。更に、除湿装置１は、前記に加えてヒートポンプを備えた冷凍装置、冷房装置（または暖房装置、冷暖房装置）であってもよいし、ヒートポンプを備えずに熱交換を行うものでもよい。図１に示す第一実施形態では、外気ＯＡを取り入れて室内に供給空気ＳＡとして供給するとともに、室内空気（戻り空気ＲＡ）を取り込んで排気ＥＡとして室外へ排出する換気機能を有する。除湿処理は、様々な方法が適宜用いられるが、デシカントシステムが用いられると、強力な除湿が可能となる。
【００１８】
除湿装置１は、図１に示すように、第一吸入路２と、第二吸入路３と、供給路４と、を備えている。
【００１９】
第一吸入路２は、上流端に、戻り空気ＲＡを吸入する第一吸入口２０を備え、下流端は除湿装置１に接続されている。第一吸入口２０は、室内の一部の所定位置に配置される。ここで、所定位置とは、窓際等、室内において結露が発生し易い箇所７（主に、窓や壁等を介して室外の冷気に接し易い箇所や、室内における冷部等）の近傍である。この第一吸入路２（および第一吸入口２０）は、一般の除湿装置１は備えていない。
【００２０】
除湿装置１は、第一吸入口２０より吸入されて、第一吸入路２を通流する戻り空気ＲＡ（特に第一空気ＲＡ１とする）の絶対湿度（特に第一絶対湿度ｘ１とする）を測定する第一絶対湿度測定部２１を備える。絶対湿度の測定には、赤外線センサにより直接的に測定するものや、相対湿度と温度とから算出するもの等、様々な手段が適宜利用可能であり、特に限定されない。
【００２１】
第二吸入路３は、上流端に、戻り空気ＲＡ（特に第二空気ＲＡ２とする）を吸入する第二吸入口３０を備え、下流端は除湿装置１に接続されている。第一吸入路２と第二吸入路３の下流端は、合流してもよい。第二吸入口３０は、室内の所定位置以外、すなわち、特に結露が発生し易いわけではない箇所に配置される。この第二吸入路３は、一般の除湿装置１が備えている。
【００２２】
供給路４は、室内に供給空気ＳＡを供給する流路であり、下流端に室内への吐出口４０を備える。そして、第一実施形態の除湿装置１は、循環機能を有し、第一吸入路２および第二吸入路３から吸入された第一空気ＲＡ１、第二空気ＲＡ２は、加湿や除湿等の処理が行われて、供給空気ＳＡとして供給路４より供給される。吐出口４０は、その一部または全部が、結露が発生し易い箇所７の近傍に配置され、結露が発生し易い箇所７に向けて供給空気ＳＡを吐出可能としてもよい（図１参照）。
【００２３】
除湿装置１は、図示しないが、送風手段と、マイクロコンピュータ等からなる制御部と、を備えている。送風手段は、ファンと、ファンを駆動するモータ等の駆動手段を備え、制御部により駆動が制御される。第一実施形態では、除湿装置１はデシカントシステムにより除湿処理を行う。
【００２４】
デシカントシステムは、図示しないが、放湿流路と吸湿流路とからなる二つの流路と、この流路間に跨って回転するデシカントロータと、デシカントロータを駆動するモータ等の駆動手段と、を備え、吸湿流路を流れる気体に対し吸湿を行うとともに、放湿流路を流れる気体に対し放湿を行うものである。駆動手段は制御部により制御される。
【００２５】
デシカントロータは、通常は円盤状をしたもので、その中心軸（回転軸）方向に通気性を有する。なお、デシカントロータは円盤状に限定されない。そして、デシカントロータの表面に吸湿材（デシカント）が担持されている。また、放湿流路には、デシカントロータの上流側に、デシカントロータを再生するための加熱手段からなる再生手段を備えている。加熱手段（再生手段）としては、例えば気−液熱交換器と、熱媒と、循環路と、ポンプと、ポンプを駆動するモータ等の駆動手段と、熱媒を加熱するガスバーナ等の加熱部と、を備えた温水コイルが好適に用いられるが、特に限定されず、電熱ヒータ等であってもよい。再生手段は、制御部により制御される。
【００２６】
このデシカントシステムは、除湿対象とする気体を吸湿流路に流通させ、除湿対象となる気体がデシカントロータを通過すると、吸湿材に液体の蒸気が吸収され、除湿された気体となって流出する。放湿流路においては、再生手段（加熱手段）によりデシカントロータが加熱され、気体がデシカントロータを通過する際、デシカントロータの吸湿材が吸収していた液体を気体中に蒸気として放出し、吸湿材が再生される。
【００２７】
吸湿流路と放湿流路とを流れる気体の流量と、加熱手段による加熱量と、場合によってはデシカントロータの回転速度を制御部により制御することで、吸湿流路から流出する除湿気体の量、湿度が調節可能である。第一実施形態の除湿装置１は、通常の除湿運転を行う通常モードと、結露解消のために前記通常の除湿運転よりも強い除湿運転を行う結露解消モードと、を有している。
【００２８】
第一実施形態では、除湿装置１は、供給路４を通流する、吐出口４０より吐出される供給空気ＳＡの絶対湿度（特に供給絶対湿度ｘ３とする）を測定する供給絶対湿度測定部４１を備える。この供給路４および供給絶対湿度測定部４１は、一般の除湿装置１が備えており、既存の供給絶対湿度測定部４１を好適に用いることができる。
【００２９】
除湿装置１は、結露判定部を備える。第一実施形態の結露判定部は、第一絶対湿度ｘ１と、供給絶対湿度ｘ３とに基いて、所定位置に結露が発生しているか否かを判定するものである。結露判定部は、第一実施形態では、制御部がその機能の一部として備えるものであるが、制御部とは別に設けられてもよく、特に限定されない。以下、結露の判定について、図２に基いて説明する。
【００３０】
除湿装置１は、運転の開始および停止の操作を行うコントローラ１０とを備える。コントローラ１０は、制御部と有線または無線により通信可能であり、操作等の信号を制御部（および結露判定部）に送信し、制御部からの指令等の信号を受信する。
【００３１】
コントローラ１０は、除湿装置１の運転の開始および停止の操作を行う開始／停止操作部１１を備える。開始／停止操作部１１は、第一実施形態では一の押し釦からなり、停止中の押し操作により運転が開始し、運転中の押し操作により運転が停止する。なお、開始／停止操作部１１は、複数の押し釦を備え、開始と停止とが別の押し釦の押し操作により行われてもよいし、押し釦でなく他の操作手段であってもよく、操作の形態、方法は限定されない。
【００３２】
またコントローラ１０は、結露判定部により結露が発生していると判定された時に、結露の発生を報知する報知部１２を備える。報知部１２は、表示によるものや、音声によるもの、特に限定されないが、第一実施形態では、ＬＥＤ等による点灯、点滅や、液晶による文字や図形の表示が可能な表示部からなる。
【００３３】
またコントローラ１０は、結露解消モードの開始および停止の操作を行う結露解消モード操作部１３を備える。結露解消モード操作部１３は、第一実施形態では一の押し釦からなり、運転中において、結露解消モードの停止中の押し操作により結露解消モードが開始し、結露解消モード中の押し操作により結露解消モードが停止する。なお、結露解消モード操作部１３は、複数の押し釦を備え、結露解消モードの開始と停止とが別の押し釦の押し操作により行われてもよいし、押し釦でなく他の操作手段であってもよく、操作の形態、方法は限定されない。
【００３４】
結露判定部は、第一絶対湿度ｘ１と、供給絶対湿度ｘ３とを読み込んだ後、（Ｓ１）絶対湿度の低下の条件を満たすか、すなわち、第一絶対湿度ｘ１が、供給絶対湿度ｘ３より所定値Δｘ以上低いか（すなわちｘ１≦ｘ３−Δｘか）を判定する。ここで、第一絶対湿度ｘ１と供給絶対湿度ｘ３の単純な比較ではなく、その差が所定値Δｘ以上かを判定している。
【００３５】
所定位置において結露が発生すると、所定位置の近傍での空気（第一吸入口２０より第一吸入路２に吸入されて、第一空気ＲＡ１となる空気）の絶対湿度が低下する。この時、第一空気ＲＡ１が結露後に絶対湿度（第一絶対湿度ｘ１）が低下していれば、結露の発生により絶対湿度が低下したとして、結露が発生しているとの判定（結露判定とする）を行う。そして、第一空気ＲＡ１の結露が発生する前の空気は、室内の所定位置以外の空気、すなわち、結露が特に発生し易くない室内の所定位置以外の空気と同じであり、この空気の絶対湿度ｘ０を、結露前の空気の絶対湿度として、第一絶対湿度ｘ１の比較対象とすることが好ましい。
【００３６】
しかし、第一実施形態では、第一絶対湿度ｘ１と比較する絶対湿度として、既存の供給絶対湿度測定部４１を用いて測定可能な供給絶対湿度ｘ３を用いている。このため、本来好ましい絶対湿度ｘ０と供給絶対湿度ｘ３との間に差が生じる。この差を考慮して、所定値Δｘ（＞０）が適宜定められる。
【００３７】
第一実施形態では、除湿装置１が循環機能を有し、戻り空気ＲＡが処理されて供給空気ＳＡとして供給路４より室内に供給されている。このため、第一実施形態での供給絶対湿度ｘ３は、外気ＯＡを取り入れた後に供給空気ＳＡとして供給する場合の供給絶対湿度ｘ３よりは、絶対湿度ｘ０に近いと考えられ、Δｘが小さくてすむ。冬季においては通常、室内の全体の平均的な湿度である絶対湿度ｘ０は供給絶対湿度ｘ３よりも低く、この状況に応じてΔｘが適宜定められる。
【００３８】
そして、結露判定部は、（Ｓ１）の絶対湿度の低下の条件を満たしている場合、（Ｓ２）で結露判定を行う。
【００３９】
上記図２に示すフローが、第一実施形態における基本的な判定手順である。なお、上記（Ｓ１）の判定においては、第一実施形態ではｘ１≦ｘ３−Δｘか否かの判定を行っているが、他の判定式により判定を行ってもよい。
【００４０】
また、フロー（図２のフローをはじめ、後述する図３、図６のフローも同）は、終了後、一定時間をおいて次のフローを開始したり、終了後に直ちに次のフローを開始してもよいし、開始と終了との間にループを形成して繰り返すようにしてもよい。
【００４１】
上記結露検出装置にあっては、結露後に絶対湿度が低下することを利用したもので、絶対湿度を測定するだけでよいものである。このため、第一絶対湿度測定部２１と供給絶対湿度測定部４１とを備えるとともに、これらで測定される第一絶対湿度と供給絶対湿度とに基いて結露判定を行う結露判定部を設けるだけの簡単な構成で、室内の結露の発生を精度よく検出することが可能となる。この結果、従来例のように内部の結露を検出するのみならず、室内の結露の発生を精度よく検出することができる。
【００４２】
第一実施形態では、コントローラ１０が報知部１２を備えており、結露判定が行われると報知部１２に報知される。このため、コントローラ１０を操作する使用者は、結露を認知することが可能である。そして上記のような結露判定部を備えることにより、精度よく結露を知ることができる。
【００４３】
使用者は、報知部１２による報知により結露を認知すると、結露解消モード操作部１３を操作して結露解消モードを開始する。結露が解消して、結露判定がなされなくなると、報知部１２による報知がされなくなり、使用者は、結露の解消を認知する。そして、結露解消モード操作部１３を操作して結露解消モードを停止する。これにより、使用者は、結露を認知した時に、結露解消モードを開始して、結露の解消を行うことができる。
【００４４】
なお、コントローラ１０が報知部１２と結露解消モード操作部１３とを備えず、制御部が、結露判定が行われると自動で結露解消モードを開始し、結露判定がなされなくなると、自動で自動で結露解消モードを停止するようにしてもよい。
【００４５】
次に、第一実施形態の別の例について説明する。除湿装置１は、図１に示すように、循環機能に加えて換気機能も有しており、外気吸入路５と、排気路６とを備え、更に、第一温度測定部２２と、第二温度測定部４２と、外気温度測定部５１と、を備えている。
【００４６】
第一温度測定部２２は、第一吸入路２を通流する第一空気ＲＡ１の温度（第一温度ｔ１）を測定するものである。
【００４７】
第二温度測定部４２は、供給路４を通流する供給空気ＳＡの温度（第二温度ｔ２）を測定するものである。
【００４８】
外気温度測定部５１は、外気吸入路５を通流する外気ＯＡの温度（外気温度ｔ３）を測定するものである。
【００４９】
この別の例では、図３に示すように、結露判定部は、（Ｓ１１）で、第一温度ｔ１が外気温度ｔ３よりも高いか（冬季の条件を満たすか）否かを判定する。（Ｓ１１）で条件を満たす場合、（Ｓ１２）で、第一温度ｔ１が第二温度ｔ２より所定値Δｔ以上低いか（漏気の条件を満たすか）否かを判定する。そして、上記（Ｓ１１）で冬季の条件を満たすとともに（Ｓ１２）の漏気の条件を満たす場合は、所定位置に結露が発生していると判定しないものである。
【００５０】
（Ｓ１１）の冬季の条件を満たすか否かの判定は、ｔ１＞ｔ３か否かを判定している。これは、第一温度ｔ１が外気温度ｔ３よりも高い場合、冬季であると判定するものである。すなわち、夏季においては、通常は結露の可能性は低いため、結露判定はなされない。
【００５１】
（Ｓ１２）の漏気の条件を満たすか否かの判定は、ｔ１≦ｔ２−Δｔか否かを判定している。これは、第一温度ｔ１が第二温度ｔ２よりも大幅に低い場合、窓が開けられる等の漏気があるとみなすもので、所定値Δｔは、この場合のｔ１とｔ２の差の閾値として適宜設定される。（Ｓ１）の絶対湿度の低下の条件を満たす場合、通常は（Ｓ２）において結露判定を行うところ、（Ｓ１１）の冬季の条件を満たすとともに（Ｓ１２）の漏気の条件を満たす場合には、漏気が発生しているとして結露判定を行わない。このようにすることで、冬季に漏気がある場合に、誤って結露判定を行うことが抑制される。
【００５２】
次に、第二実施形態について、図４に基いて説明する。なお、第二実施形態は、図１に示す第一実施形態と大部分において同じであり、同じ部分については同符号を付して説明を省略し、主に異なる部分について説明する。
【００５３】
第一実施形態では、一般の除湿装置１が備える供給絶対湿度測定部４１を有効利用して、この供給絶対湿度測定部４１が測定する供給絶対湿度ｘ３と、第一絶対湿度ｘ１とに基いて、結露判定を行っていた。これに対し、第二実施形態では、供給絶対湿度測定部４１を用いず、代わりに、第二吸入路３を通流する戻り空気ＲＡ（特に第二空気ＲＡ２とする）の絶対湿度（特に第二絶対湿度ｘ２とする）を測定する第二絶対湿度測定部３１を備える。
【００５４】
第一絶対湿度ｘ１との比較する絶対湿度は、結露が特に発生し易くない室内の所定位置以外の空気の絶対湿度ｘ０を用いることが好ましく、第二吸入口３０は所定位置以外に配置されていることから、第二空気ＲＡ２は所定位置以外の空気であり、第二絶対湿度ｘ２は絶対湿度ｘ０と同じとみなせる。
【００５５】
この場合、（Ｓ１）絶対湿度の低下の条件を満たすかの判定が、第一絶対湿度ｘ１が、供給絶対湿度ｘ３ではなく第二絶対湿度ｘ２より低いかの判定となる以外は、第一実施形態と同じであり、図２、図３に示すフローも同様である。第二実施形態では、（Ｓ１）の絶対湿度の低下の条件を満たすかの判定が、第一絶対湿度ｘ１と第二絶対湿度ｘ２の単純な比較でよい上、判定精度も向上する。
【００５６】
次に、第三実施形態について図５、図６に基いて説明する。なお、第一実施形態および第二実施形態と異なる部分について説明する。図５に示すように、第三実施形態においては、除湿装置１は、外気吸入路５に外気絶対湿度測定部５２を備えている。
【００５７】
第一実施形態および第二実施形態では、結露の前後で絶対湿度が低下することを利用したものである。これに対し、第三実施形態では、結露判定部は、（Ｓ２１）第一絶対湿度ｘ１が、外気絶対湿度測定部５２で測定される外気絶対湿度ｘ４より高いか（湿度過多の条件を満たすか）否かを判定する。なお、これに先立ち、第一温度ｔ１が外気温度ｔ３よりも高いか（冬季の条件を満たすか）否かを判定し、冬季の条件を満たさない場合には、結露判定を行わない。
【００５８】
図６に示すように、（Ｓ２１）で湿度過多の条件を満たす場合、（Ｓ２２）で第一絶対湿度ｘ１から第一空気ＲＡ１の露点温度ｔ４を求め、（Ｓ２３）で露点温度ｔ４が外気温度ｔ３より所定値Δｔ１以上低いか（露点より低下している可能性の条件を満たすか）否かを判定する。（Ｓ２３）で条件を満たす場合、結露判定を行わないものである。
【００５９】
第三実施形態においては、露点温度ｔ４と外気温度ｔ３とを比較するだけでよく、簡単な構成で、室内の結露の発生を精度よく検出することが可能となる。
【符号の説明】
【００６０】
１    除湿装置
１０  コントローラ
１１  開始／停止操作部
１２  報知部
１３  結露解消モード操作部
２    第一吸入路
２０  第一吸入口
２１  第一絶対湿度測定部
２２  第一温度測定部
３    第二吸入路
３０  第二吸入口
３１  第二絶対湿度測定部
４    供給路
４０  吐出口
４１  供給絶対湿度測定部
４２  第二温度測定部
５    外気吸入路
５１  外気温度測定部
５２  外気絶対湿度測定部
６    排気路
７    結露が発生し易い箇所
ＥＡ  排気
ＯＡ  外気
ＲＡ  戻り空気
ＲＡ１  第一空気
ＲＡ２  第二空気
ＳＡ  供給空気
ｔ１  第一温度
ｔ２  第二温度
ｔ３  外気温度
ｔ４  露点温度
ｘ０  所定位置以外の空気の絶対湿度
ｘ１  第一絶対湿度
ｘ２  第二絶対湿度
ｘ３  供給絶対湿度
ｘ４  外気絶対湿度
Δｘ  所定値
Δｔ  所定値
Δｔ１  所定値
【図１】
2015194284.tif 000003
【図２】
2015194284.tif 000004
【図３】
2015194284.tif 000005
【図４】
2015194284.tif 000006
【図５】
2015194284.tif 000007
【図６】
2015194284.tif 000008